(57)【要約】【課題】大量の画像データを記憶媒体の交換を行うために停止させることなく蓄積することができ、外部記憶媒体を使用した連結印刷を可能とする。【解決手段】連結モードのとき、ＳＤカードの容量が一杯でなければ、ＳＤカードへの蓄積も同時に行うので、蓄積先をＳＤカードとし、ファイル名などの補足情報を入力する。この状態でスタートキーを押下すると、原稿の読み取りが開始され、連結印刷が始まる。同時に親機のＳＤカードへの蓄積も行われる。ある時点で親機のＳＤカードが容量一杯となったとすると、親機は他に接続機があるかどうかを確認し、子機が接続されていれば、子機にＳＤカードが挿入されているか否かを確認し、挿入されていれば子機のＳＤカードに読み取った画像情報をＳＤカードの容量が一杯になるまで実行する。一方、他に接続機がなければ、画像データを格納できないので、メモリ容量が一杯である旨表示する。【選択図】図９
2006256154.tif 000002
【特許請求の範囲】
【請求項１】
ユーザが操作を行う自機あるいは自機に通信可能に接続された他機に装着された外部記憶媒体に蓄積された画像データを印刷し、あるいは印刷させる手段を備えた画像形成装置において、
前記自機に装着された外部記憶媒体に前記画像データを蓄積する際、当該画像データが前記自機に装着された外部記憶媒体の容量を超えた場合に、前記他機の外部記憶媒体に分割して蓄積する手段を備えていることを特徴とする画像形成装置。
【請求項２】
前記自機及び他機のそれぞれに装着された外部記憶媒体のそれぞれに前記画像データに加え、自機及び他機に関する情報、印刷モード、画像データの順序の少なくとも１つを含む付帯情報が格納されることを特徴とする請求項１記載の画像形成装置。
【請求項３】
前記外部記憶媒体が前記自機及び他機の全てに装着されているとき、前記自機から画像データを選択し、印刷を実行させると、自動的に前記画像データの蓄積時と同じ設定、同じ機械で連結印刷を行えるように初期設定を変更する手段を備えていることを特徴とする請求項２記載の画像形成装置。
【請求項４】
前記連結印刷を行う場合に、分割して蓄積した全ての外部記憶媒体が、前記自機及び他機に装着されていない場合は、印刷を停止した上でその旨を表示し、ユーザに報知する手段を備えていることを特徴とする請求項３記載の画像形成装置。
【請求項５】
前記他機の外部記憶装置が自機の外部記憶装置と異なる種類のものであることを特徴とする請求項１ないし４のいずれか１項に記載の画像形成装置。
【請求項６】
ユーザが操作を行う自機あるいは自機に通信可能に接続された他機に装着された外部記憶媒体に蓄積された画像データを印刷し、あるいは印刷させる画像形成方法において、
前記自機に装着された外部記憶媒体に前記画像データを蓄積する際、当該画像データが前記自機に装着された外部記憶媒体の容量を超えた場合に、前記他機の外部記憶媒体に分割して蓄積することを特徴とする画像形成方法。
【請求項７】
外部記憶媒体の蓄積可能容量を判断し、蓄積可能であれば、自機及び他機に関する情報、印刷モード、画像データの順序の少なくとも１つを含む付帯情報と画像データを自機の外部記憶媒体に蓄積する第１の工程と、
自機の外部記憶媒体に蓄積不能であれば、他に接続機があるか否かを判断する第２の工程と、
他に接続機があり、当該接続機に外部記憶媒体が装着されているか否かを判断する第３の工程と、
前記第３の工程で外部記憶媒体が装着されていると判断されたとき、当該外部記憶媒体に画像データを蓄積する第４の工程と、
を備えていることを特徴とする画像形成方法。
【請求項８】
前記第２の工程で他に接続機がないと判断された場合に、蓄積不能である旨表示する第５の工程を備えていることを特徴とする請求項７記載の画像形成方法。
【請求項９】
前記第１の工程で蓄積された付帯情報から分割数を読み出し、新しい分割数とする第６の工程と、
印刷番号と分割数を比較し、印刷番号が分割数より大きいときに、自機で印刷を開始する第７の工程と、
前記第６の工程で分割数が印刷番号以上であれば、付帯情報から印刷番号を蓄積した画像形成装置の番号を読み出し、当該画像形成装置に外部記憶媒体が装着されているか否かを確認する第８の工程と、
第８の工程で装着されていることが確認されたとき、前記外部記憶媒体に前記印刷番号のデータがあるかどうか判断する第９の工程と、
第９の工程で前記外部記憶媒体に該当する印刷番号のデータがあれば、印刷番号を１インクリメントし、インクリメントした印刷番号と分割数とを比較し、分割数より印刷番号が多い場合に印刷を開始する第１０の工程と、
をさらに備えていることを特徴とする請求項７または８記載の画像形成方法。
【発明の詳細な説明】
【技術分野】
【０００１】
本発明は、連結印刷が可能なプリンタ、複写機、複合機などの画像形成装置及びその画像形成装置を使用して画像形成を行う画像形成方法に関する。
【背景技術】
【０００２】
従来より画像形成装置での印刷と同時に、または印刷を伴わずに外部記憶媒体に画像データの蓄積を行い、後日にその外部記憶媒体より再印刷を行う機能を備えた画像形成装置は例えば特許文献１に開示されているように広く知られている。
【特許文献１】特許第３５３７６１２号公報
【発明の開示】
【発明が解決しようとする課題】
【０００３】
しかし、これまで知られている画像形成装置に装着される外部記憶媒体は容量的に十分とは言えないため、大量の画像データを印刷することが前提の連結印刷には使用されることはほとんどなかった。
【０００４】
本発明は、このような背景に鑑みてなされたもので、その目的は、大量の画像データを記憶媒体の交換を行うために停止させることなく蓄積することができ、外部記憶媒体を使用した連結印刷を可能とすることにある。
【課題を解決するための手段】
【０００５】
前記目的を達成するため、第１の手段は、ユーザが操作を行う自機あるいは自機に通信可能に接続された他機に装着された外部記憶媒体に蓄積された画像データを印刷し、あるいは印刷させる手段を備えた画像形成装置において、前記自機に装着された外部記憶媒体に前記画像データを蓄積する際、当該画像データが前記自機に装着された外部記憶媒体の容量を超えた場合に、前記他機の外部記憶媒体に分割して蓄積する手段を備えていることを特徴とする。
【０００６】
第２の手段は、第１の手段において、前記自機及び他機のそれぞれに装着された外部記憶媒体のそれぞれに前記画像データに加え、自機及び他機に関する情報、印刷モード、画像データの順序の少なくとも１つを含む付帯情報が格納されることを特徴とする。
【０００７】
第３の手段は、第２の手段において、前記外部記憶媒体が前記自機及び他機の全てに装着されているとき、前記自機から画像データを選択し、印刷を実行させると、自動的に前記画像データの蓄積時と同じ設定、同じ機械で連結印刷を行えるように初期設定を変更する手段を備えていることを特徴とする。
【０００８】
第４の手段は、第３の手段において、前記連結印刷を行う場合に、分割して蓄積した全ての外部記憶媒体が、前記自機及び他機に装着されていない場合は、印刷を停止した上でその旨を表示し、ユーザに報知する手段を備えていることを特徴とする。
【０００９】
第５の手段は、第１ないし第４のいずれかの手段において、前記他機の外部記憶装置が自機の外部記憶装置と異なる種類のものであることを特徴とする。
【００１０】
第６の手段は、ユーザが操作を行う自機あるいは自機に通信可能に接続された他機に装着された外部記憶媒体に蓄積された画像データを印刷し、あるいは印刷させる画像形成方法において、前記自機に装着された外部記憶媒体に前記画像データを蓄積する際、当該画像データが前記自機に装着された外部記憶媒体の容量を超えた場合に、前記他機の外部記憶媒体に分割して蓄積することを特徴とする。
【００１１】
第７の手段は、外部記憶媒体の蓄積可能容量を判断し、蓄積可能であれば、自機及び他機に関する情報、印刷モード、画像データの順序の少なくとも１つを含む付帯情報と画像データを自機の外部記憶媒体に蓄積する第１の工程と、自機の外部記憶媒体に蓄積不能であれば、他に接続機があるか否かを判断する第２の工程と、他に接続機があり、当該接続機に外部記憶媒体が装着されているか否かを判断する第３の工程と、前記第３の工程で外部記憶媒体が装着されていると判断されたとき、当該外部記憶媒体に画像データを蓄積する第４の工程とを備えていることを特徴とする。
【００１２】
第８の手段は、第７の手段において、前記第２の工程で他に接続機がないと判断された場合に、蓄積不能である旨表示する第５の工程を備えていることを特徴とする。
【００１３】
第９の手段は、第７または第８の手段において、前記第１の工程で蓄積された付帯情報から分割数を読み出し、新しい分割数とする第６の工程と、印刷番号と分割数を比較し、印刷番号が分割数より大きいときに、自機で印刷を開始する第７の工程と、前記第６の工程で分割数が印刷番号以上であれば、付帯情報から印刷番号を蓄積した画像形成装置の番号を読み出し、当該画像形成装置に外部記憶媒体が装着されているか否かを確認する第８の工程と、第８の工程で装着されていることが確認されたとき、前記外部記憶媒体に前記印刷番号のデータがあるかどうか判断する第９の工程と、第９の工程で前記外部記憶媒体に該当する印刷番号のデータがあれば、印刷番号を１インクリメントし、インクリメントした印刷番号と分割数とを比較し、分割数より印刷番号が多い場合に印刷を開始する第１０の工程とをさらに備えていることを特徴とする。
【発明の効果】
【００１４】
本発明によれば、画像データが前記自機に装着された外部記憶媒体の容量を超えた場合に、前記他機の外部記憶媒体に分割して蓄積するので、大量の画像データを記憶媒体の交換を行うために停止させることなく蓄積することができ、外部記憶媒体を使用した連結印刷が可能となる。
【発明を実施するための最良の形態】
【００１５】
以下、本発明の実施の形態について図面を参照して説明する。
【００１６】
図１は本実施形態に係る画像形成装置（複写装置）の概略構成を示す図である。同図において、自動原稿送り装置（以後ＡＤＦ）１に備えられた原稿台２に原稿の画像面を上にして置かれた原稿束は、操作部３０上のスタートキー３４が押下されると、一番下の原稿から給送ローラ３、給送ベルト４によってコンタクトガラス６上の所定の位置に給送される。読み取りユニット５０によってコンタクトガラス６上の原稿の画像データを読み取り後、読み取りが終了した原稿は、給送ベルト４及び排送ローラ５によって排出される。さらに、原稿セット検知センサ７によって原稿台２に次の原稿があることを検知した場合、前原稿と同様にコンタクトガラス６上に給送される。給送ローラ３、給送ベルト４、排送ローラ５はモータによって駆動される。
【００１７】
第１トレイ８、第２トレイ９、第３トレイ１０に積載された転写紙は、各々第１給紙装置１１、第２給紙装置１２、第３給紙装置１３によってそれぞれ給紙され、縦搬送ユニット１４によって感光体ドラム１５に当接する位置まで搬送される。読み取りユニット５０にて読み込まれた画像データは、書き込みユニット５７からのレーザによって感光体ドラム１５表面に書き込まれ、現像ユニット２７を通過することによってトナー像が形成される。そして、転写紙は感光体ドラム１５の回転と等速で搬送ベルト１６によって搬送されながら、感光体１５上のトナー像が転写される。その後、定着ユニット１７にて画像を定着させ、排紙ユニット１８によって後処理装置のフィニッシャ１００に排出される。
【００１８】
後処理装置のフィニッシャ１００は、本体側の排紙ユニット１８によって搬送された転写紙を、通常排紙ローラ１０２方向と、ステープル処理部方向へ導くことができる。切り替え板１０１を上に切り替えることにより、搬送ローラ１０３を経由して通常排紙トレイ１０４側に用紙は排紙され、切り替え板１０１を下方向に切り替えることにより、搬送ローラ１０５，１０７を経由して、ステープル台１０８に用紙は搬送される。ステープル台１０８に積載された転写紙は、１枚排紙される毎に紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００１９】
一方、通常の排紙トレイ１０４は前後（用紙排紙方向に対して直交する方向）に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けることができる。
【００２０】
転写紙の両面に画像を作像する場合は、各給紙トレイ８〜１０から給紙され作像された転写紙を排紙トレイ１０４側に導かないで、経路切り替えのための分岐爪１１２を上側にセットすることにより、一旦両面給紙ユニット１１１にストックする。その後、両面給紙ユニット１１１にストックされた転写紙は再び感光体ドラム１５上に作像されたトナー画像を転写するために、両面給紙ユニット１１１から再給紙され、画像が裏面に転写された後、経路切り替えのための分岐爪１１２を下側にセットし、排紙トレイ１０４に導く。このように転写紙の両面に画像を作成する場合に両面給紙ユニット１１１は使用される。
【００２１】
感光体ドラム１５、搬送ベルト１６、定着ユニット１７、排紙ユニット１８、現像ユニット２７は図示しないメインモータによって駆動され、各給紙装置１１〜１３はメインモータの駆動を各々給紙クラッチによって伝達駆動される。縦搬送ユニット１４はメインモータの駆動を中間クラッチによって伝達駆動される。
【００２２】
図２は操作部３０の正面図である。操作部３０には、液晶タッチパネル３１、テンキー３２、クリア／ストップキー３３、プリントキー３４、予熱キー３５、リセットキー３６、モード選択キー３８及び初期設定キー３９等が設けられ、液晶タッチパネル３１には、後述するモード設定のためのキーや画像形成装置の状態を示すメッセージなどが表示される。
【００２３】
図３は操作部３０の液晶タッチパネル３１の表示の一例を示す図である。  
オペレータが液晶タッチパネル３１に表示されたキーにタッチすると、選択された機能を示すキーが黒く反転する。また、機能の詳細を指定しなければならない場合（例えば変倍であれは変倍値等）は、キーにタッチすると、詳細機能の設定画面が表示される。このように、液晶タッチパネルは、ドット表示器を使用しているため、そのときの最適な表示をグラフィカルに行うことができる。
【００２４】
図３において左上は、「コピーできます」、「お待ちください」等のメッセージを表示するメッセージエリア、その右は、セットした枚数を表示するコピー枚数表示部、転写紙を自動的に選択する自動用紙選択キー、コピーを一部ずつページ順に揃える処理を指定するソートキー、コピーをページ毎に仕分けする処理を指定するスタックキー、ソート処理されたものを一部ずつ綴じる処理を指定するステープルキーが表示され、中央の表示部３７には、倍率を等倍にセットする等倍キー、拡大／縮小倍率をセットする変倍キー、両面モードを設定する両面キー、綴じ代モード等を設定する編集キー、表紙／合紙モードを設定する表紙／合紙キーなどが配置され、さらに、給紙トレイ数に対応した給紙トレイ状態を示し、手動で給紙段を設定するためのキーが給紙段分表示されている。また、前記メッセージエリアの右側には、デジタル複写機のネットワークを介して多量のプリント動作を複数に分けてプリントアウトする連結モードキー４０、外部記憶媒体からの印刷及び蓄積を設定する蓄積キー４１が表示されている。
【００２５】
図１を参照し、本実施形態における画像読み取り手段の動作、及び画像を記録面上に潜像形成するまでの動作について説明する。  
潜像とは感光体面上に画像を光情報に変換して照射することにより生じる電位分布である。読み取りユニット５０は、原稿を載置するコンタクトガラス６と光学走査系で構成されており、光学走査系には、露光ランプ５１、第１ミラー５２、第２ミラー５５、第３ミラー５６、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジ第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。レンズ５３及びＣＣＤイメージセンサ５４を図１において左右方向に移動させることにより、画像倍率が変わる。すなわち、指定された倍率に対応してレンズ５３及びＣＣＤイメージセンサ５４の左右方向に位置が設定される。
【００２６】
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。
【００２７】
レーザ出力ユニット５８から照射されるレーザ光は、定速回転するポリゴンミラーで偏光され、結像レンズ５９を通り、ミラー６０で折り返され、感光体ドラム１５の表面上に集光結像する。
【００２８】
偏光されたレーザ光は感光体ドラム１５が回転する方向と直交する方向（主走査方向）に露光走査され、後述する画像処理部のセレクタ６４より出力された画像信号のライン単位の記録を行う。感光体ドラム１５の回転速度と記録密度に対応した所定の周期で主走査を繰り返すことによって、感光体ドラム１５の表面上に画像（静電潜像）が形成される。
【００２９】
上述のように、書き込みユニット５７から出力されるレーザ光が、画像作像系の感光体ドラム１５に照射される。図示しないが感光体ドラム１５の一端近傍のレーザビームが照射される位置に、主走査同期信号を発生するビームセンサが配置されている。この主走査同期信号をもとに主走査方向の画像記録開始タイミングの制御、及び後述する画像信号の入出力を行うための制御信号の生成を行う。
【００３０】
図４は図１の画像形成装置における制御部の概略構成を示すブロック図で、メインコントローラを中心として各部が接続されている。メインコントローラ２０は画像形成装置全体を制御するもので、メインコントローラ２０には、転写紙の搬送等に必要なメインモータ２５、中間クラッチ２１、第１ないし第３の給紙クラッチ２２，２３，２４、操作部３０、画像処理ユニット４９及びＡＤＦ１がそれぞれ接続されている。操作部３０は、オペレータに対する表示、オペレータからの機能設定入力制御を行い、画像処理ユニット（以下、ＩＰＵとも称す）４９は画像入力から画像出力に関連する各部の制御を実行する。これらの各部３０，４９，モータ２５、中間クラッチ２１、第１ないし第３の給紙クラッチ２２〜２４とメインコントローラ２０は必要に応じて機械の状態、動作司令のやりとりを行っている。なお、これらの各部はメインコントローラ２０に対して分散制御装置として機能している。
【００３１】
画像処理ユニット４９には、さらに連結Ｉ／Ｆ４８と外部デバイスＩ／Ｆ４７が接続されており、前記連結Ｉ／Ｆ４８を介して接続された画像形成装置の情報を獲得し、動作を設定することにより連結動作の制御を行う、もしくは接続された他の画像形成装置からの要求を獲得し自機の動作の制御を行う。ＡＤＦ１には、原稿セット検知センサ７及び原稿を搬送するための搬送モータ２６が接続され、操作部３０には、液晶ディスプレイ３１及び各種入力キー３２〜３５が接続されている。
【００３２】
図５は図４のＩＰＵ４９の詳細を示すブロック図である。この実施の形態では、ＩＰＵ４９は画像データの入出力系、画像処理系、及び出力系を含む。入力系は、原稿画像などの画像を光学的に読み取るＣＣＤイメージセンサ５４、ＣＣＤイメージセンサ５４からの画像信号をデジタル信号に変換するＡ／Ｄコンバータ６１、このＡ／Ｄコンバータ６１からの画像信号をシェーディング補正するシェーディング補正回路６２、その画像信号をさらにＭＴＦ補正、γ補正等を施すＭＴＦ補正・γ補正回路６３、このＭＴＦ補正・γ補正回路６３からの画像信号を変倍率に合せて拡大縮小する変倍処理回路７２、この変倍処理回路７２からの画像データを画像メモリコントローラ６５あるいは書き込みγ補正ユニット７１に送るように設定するセレクタ６４とからなる。出力側は、セレクタ６４によって選択された画像データに対して書き込み側のγ補正を行う書き込みγ補正ユニット７１及び書き込みγ補正ユニット７１からの補正データに基づいて画像の書き込み（印刷）を行う書き込みユニット５７からなる。
【００３３】
このような入出力系を構成すると、露光ランプ５１から照射され、原稿面で反射した反射光はＣＣＤイメージセンサ５４で光電変換され、Ａ／Ｄコンバータ６１によってデジタル信号に変換される。デジタル信号に変換された画像信号は、シェーディング補正回路６２によってシェーディング補正がなされた後、ＭＴＦ補正・γ補正回路６３にてＭＴＦ補正、γ補正等が施され、変倍処理回路７２で画像信号を変倍率に合せて拡大縮小した後、セレクタ６４で画像信号の送り先を書き込みγ補正ユニット７１または画像メモリコントローラ６５への切り替えが行われる。書き込みγ補正部７１を経由した画像信号は書き込みユニット５７に送られる。画像メモリコントローラ６５とセレクタ６４間は、双方向に画像信号を入出力可能な構成となっている。画像処理部（ＩＰＵ）４９は、読み取り部５０から入力される画像データ以外にも外部から供給される画像データ（例えばパーソナルコンピュータ等のデータ処理装置から出力されるデータ）も処理できるよう、複数のデータの入出力の選択を行う機能を有しており、接続された外部記憶媒体との画像データの送受信時も使われる。
【００３４】
画像処理系は、画像メモリコントローラ６５、画像メモリ６６、ＣＰＵ６８、ＲＯＭ６９、ＲＡＭ７０、Ｉ／Ｏポート６７、連結Ｉ／Ｆ４８及びハードディスク装置（ＨＤＤ）７１から構成されている。画像メモリコントローラ６５とセレクタ６４間は、双方向に画像信号を入出力可能な構成となっている。ＣＰＵ６８は画像メモリコントローラ６５への設定、読み取りユニット５０及び書き込みユニット５７の制御を司り、ＲＯＭ６９はＣＰＵ６８が処理するプログラムを格納し、ＲＡＭ７０はＣＰＵ６８が処理するデータを格納し、また、ＣＰＵ６８のワークエリアとしても機能する。また、ＨＤＤ７１は、画像メモリ６６の内容を退避させたり、画像メモリ６６の内容を保存する機能を有する。
【００３５】
連結Ｉ／Ｆ４８は画像情報の送受信のため、画像メモリコントローラ６５のデータバスに接続され、データの入出力が可能な構成になっている。画像形成装置間のデータ転送速度に応じて、画像情報は画像メモリ６６を介して転送される。すなわち、画像出力時には画像メモリコントローラ６５から画像メモリ６６に画像データを格納した後、画像形成装置間のデータ転送速度に応じて順次画像メモリ６６からデータを読み出して、連結Ｉ／Ｆ４８にデータを転送する。画像出力時には連結Ｉ／Ｆ４８より転送される画像データを画像メモリ６６に格納した後、画像メモリ６６から画像メモリコントローラ６５を介して装置内部で画像データの処理を行う。上述の構成により、画像形成装置の機能の制約を受けることなく連結動作の実現が可能となる。
【００３６】
ここで、図６を用いて、セレクタ６４における１ページ分の画像信号について説明する。／ＦＧＡＴＥは、１ページの画像データの副走査方向の有効期間を表している。／ＬＳＹＮＣは、１ライン毎の主走査同期信号であり、この信号が立ち上がった後の所定クロックで、画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素のデータが送られてくる。画像処理部（ＩＰＵ）４９は、画像入力、出力それぞれに対して別個の／ＦＧＡＴＥ、／ＬＳＹＮＣ、／ＬＧＡＴＥ、ＶＣＬＫの発生機構を有しており、様々な画像入出力の組み合わせが実現可能になる。
【００３７】
また、作業分担するために他のデジタル複写機と画像データファイルやコマンドの送受信を行う必要があるが、これは、この実施形態では画像データの送受信用にＩＥＥＥ１３９４の連結インタフェースを、コマンドの送受信用にシリアル通信ラインを用い、図５の画像メモリコントローラ６５が連結インターフェースドライバ４８を介してそれを実現している。
【００３８】
また外部記憶媒体との画像データ送受信には外部デバイスＩ／Ｆ４７が用いられる。外部デバイスＩ／Ｆ４７の種類及び通信方法は接続される外部記憶媒体の種類によって異なる。なお、本実施形態では、後述するように外部記憶媒体としてＳＤカードが使用されが、外部記憶媒体の種類が異なっていても種類の違いに関係なくデータの蓄積や送出が可能であれば、外部記憶媒体の種類は問わない。
【００３９】
図７はソフトウェアのモジュール構成を示した図である。同図を参照して本画像形成装置内のソフトウェア制御モジュール構成と、画像転送、印刷制御について説明する。  
本実施形態に係る画像形成装置のソフトウェアのモジュールは、アプリケーション層２００、コントロールサービス層３００及びハンドラ層４００から構成されている。アプリケーション層２００で設定されたジョブ情報は、スタートキーなどをトリガーにコントロールサービス層３００に受け渡される。コントロールサービス層３００は、アプリケーションからのジョブ情報を解釈し、ハンドラ層４００を動作させるためのプロセス情報をハンドラマネージャ４１０に要求する。ハンドラマネージャ４１０は、プロセス情報に従って個々のハンドラを動作させる。ハンドラ層４００には、
１）読み取りユニットを制御するスキャナハンドラ４１１
２）画像メモリ６６への画像データの入出力を制御する画像メモリハンドラ４１２
３）書き込みユニット５７と用紙搬送、後処理周辺機を制御するプロッタハンドラ４１３
が設けられ、これらのソフトウェアモジュールが連携して、読み取りから画像メモリ６６への蓄積と画像形成の処理が行われる。
【００４０】
さらに本画像形成装置には、他の画像形成装置と連結するための、連結Ｉ／Ｆドライバ３１０を備え、このＩ／Ｆ３１０を介して画像データとコマンド情報の受け渡しが可能になっている。単体コピージョブでは、画像の読み取りと蓄積、蓄積画像の印刷という手順で行われるが、連結コピージョブでは、前記手順に加え以下の制御が加わる。
【００４１】
親機ＰＡ側で発生した連結コピージョブは、親機ＰＡのコントロールサービス３２０内でジョブ情報が解釈された後、スキャナで読みとった画像を画像メモリ６６に蓄積するプロセスと、その画像を子機２００Ｂの画像メモリ６６に転送するプロセスに分けてそれぞれ実行される。
【００４２】
必要な画像の転送が完了すると、子機ＰＢのコントロールサービス３２０は、親機のコントロールサービス３２０から受け取った情報に従って、予め転送されている画像データを参照する印刷プロセスを生成し、子機ＰＢのハンドラマネージャ４１０に印刷を要求する。そして子機ＰＢのコントロールサービス３２０は、親機ＰＡに対して自機で処理した印刷ジョブを親機ＰＡに逐次通知する。この情報に従って親機ＰＡのコントロールサービス３２０は、自機の印刷ジョブと子機ＰＢ側の印刷ジョブの経過を監視し、必要分の印刷を行う。
【００４３】
この図７に示したモジュール構成を有する画像形成装置（親機、子機）ＰＡ，ＰＢを使用した連結印刷とＳＤカードへ蓄積後の再印刷の例について図９及び図１０のフローチャートを参照して説明する。  
図８に示すように図１に示した画像形成装置（親機、子機）ＰＡ，ＰＢがケーブル５００によって接続されている。この状態で、操作部３０上の連結コピーキー４０を押すと連結モードとなる。また、ＳＤカードの容量が一杯でなければ（ステップＳ１０１−Ｎｏ）ＳＤカードへの蓄積も同時に行うので蓄積キー４１を押すと、蓄積設定画面が開き、蓄積先をＳＤカードとし、ファイル名などの補足情報を入力する（ステップＳ１０２）。この状態でＡＤＦ１上に原稿束をセットしスタートキー３４を押下すると、ＡＤＦ１の原稿は読み取りが開始され、連結印刷が始まる。また、同時に親機ＰＡのＳＤカードへの蓄積も行われる。
【００４４】
ある時点で親機ＰＡのＳＤカードが容量一杯となったとする（ステップＳ１０１−Ｙｅｓ）と、親機ＰＡは他に接続機があるかどうかを確認し（ステップＳ１０３）、子機ＰＢが接続されていれば、子機ＰＢにＳＤカードが挿入されているか否かを確認する（ステップＳ１０４）。挿入されていれば子機ＰＢのＳＤカードに読み取った画像情報を蓄積する（ステップＳ１０５）。この処理では、自機（親機）ＰＡの外部記憶媒体（ＳＤカード）の容量が一杯になるまで実行される。一方、ステップＳ１０３で、他に接続機がなければ、画像データを格納できないので、メモリ容量が一杯である旨、液晶タッチパネル３１上に表示し、処理を終える。なお、この実施形態では、ステップＳ１０４で確認した外部記憶媒体はＳＤカードであるが、同一システム内でデータの蓄積、送出が可能であれば、ＳＤカード以外の記憶媒体でもよい。
【００４５】
蓄積された画像データの再印刷を行う場合は、親機ＰＡ及び子機ＰＢにＳＤカードを挿入し、親機ＰＡで蓄積キー４１により蓄積ファイルを選択すると自動的に蓄積時の設定となるので必要に応じて設定を変えた上で印刷を行う。これにより、親機ＰＡのＳＤカードに蓄積された画像データ印刷後、自動的に子機ＰＢのＳＤカードの内容も印刷される。もし、子機ＰＢにＳＤカードがささっていない場合、もしくは間違ったＳＤカードがささっている場合は、スタートしても印刷は開始されず、子機ＳＤカードなしの警告が液晶タッチパネル３１上に表示される。
【００４６】
なお、本実施形態では連結印刷を行いつつ蓄積を行うものであるが、連結接続さえしておけば単体での蓄積においても外部記憶媒体があふれた場合は連結接続先の外部記憶媒体への分割蓄積を行う。このときの処理手順を図１０のフローチャートに示す。この処理では、ステップＳ１０２で登録した付帯（補足）情報から分割数を読み出し、Ｙに代入する（ステップＳ２０１）。Ｙの初期値は０であり、分割していないことを示す。そして、印刷番号Ｘと分割数Ｙを比較し、（Ｘ＞Ｙ）であれば、分割するまでもなく１つのＳＤカードに蓄積されているので、そのまま自機で印刷を開始する。
【００４７】
ステップＳ２０２で分割数Ｙが印刷番号Ｘ以上であれば、付帯情報から印刷番号Ｘを蓄積した機械の番号を読み出し、機械番号Ｚに代入し（ステップＳ２０３）、機械番号Ｚの画像形成装置に外部記憶媒体（ＳＤカード）が装着されているか否かを確認する（ステップＳ２０４）。装着されていなければ、液晶タッチパネル３１上にエラー表示して処理を終える。装着されていれば、さらに、外部記憶媒体に前記印刷番号Ｘのデータがあるかどうかをチェックし（ステップＳ２０５）、なければエラー表示して処理を終える。外部記憶媒体に印刷番号Ｘのデータがあれば、印刷番号を１インクリメントし（ステップＳ２０６）、ステップＳ２０２で分割数Ｙと比較し、分割数より印刷番号が多くなれば、印刷を開始する。
【００４８】
以上のように本実施形態によれば、以下のような効果を奏する。  
１）外部記憶媒体への蓄積において容量をあふれた際に連結した装置へ切り替えるので、画像形成装置を停止させることなく蓄積処理を継続できる。  
２）複数の外部記憶媒体に分割して蓄積した場合に各外部記憶媒体毎に画像データ以外の印刷順序などの情報も記憶するので、ユーザの管理を容易にすることができる。  
３）複数に分割して蓄積した外部記憶媒体より印刷する場合に全外部記憶媒体が揃っていないと印刷を不可とするので、画像データの抜けを防ぐことができる。
【図面の簡単な説明】
【００４９】
【図１】本発明の実施形態に係る画像形成装置（複写装置）の概略構成を示す図である。
【図２】図１における画像形成装置の操作部の正面図である。
【図３】図２における操作部の液晶タッチパネルの表示の一例を示す図である。
【図４】図１の画像形成装置における制御部の概略構成を示すブロック図である。
【図５】図４のＩＰＵの詳細を示すブロック図である。
【図６】セレクタにおける１ページ分の画像信号の状態を示す図である。
【図７】ソフトウェアのモジュール構成を示した図である。
【図８】画像形成装置（親機、子機）がケーブルによって接続された状態を示す図である。
【図９】外部記憶媒体に蓄積するときの処理手順を示すフローチャートである。
【図１０】外部記憶媒体から印刷を行うときの処理手順を示すフローチャートである。
【符号の説明】
【００５０】
２０メインコントローラ
３０  操作部
３１  液晶タッチパネル
４０  連結コピーキー
４１  蓄積キー
４７  外部デバイスＩ／Ｆ
４８  連結Ｉ／Ｆ
４９  ＩＰＵ（画像処理ユニット）
６５  画像メモリコントローラ
６６  画像メモリ
６８  ＣＰＵ
７１  ＨＤＤ
２００  アプリケーション層
３００  コントロールサービス層
４００  ハンドラ層
５００  連結ドライバ
ＰＡ  親機
ＰＢ  子機
【図１】
2006256154.tif 000003
【図２】
2006256154.tif 000004
【図３】
2006256154.tif 000005
【図４】
2006256154.tif 000006
【図５】
2006256154.tif 000007
【図６】
2006256154.tif 000008
【図７】
2006256154.tif 000009
【図８】
2006256154.tif 000010
【図９】
2006256154.tif 000011
【図１０】
2006256154.tif 000012